(57)【要約】  本発明は、複数の地図描画画面を同時に表示し、ユーザの利便性を向上する地図表示装置および地図表示方法の提供を目的とする。本発明の地図表示装置は、複数の描画画面を少なくとも部分的に重ね表示可能な地図表示装置である。第１描画画面は第１描画オブジェクトを有し、第２描画画面は第２描画オブジェクトを有する。第１、第２描画オブジェクトの少なくとも一方は地図情報に関する描画オブジェクトを含む。地図表示装置は、ユーザの描画画面表示に関する操作入力を受け付ける入力部１と、ユーザの操作入力に応じて第１、第２描画画面の重なり具合を制御し、第１、第２描画画面の重なり部分では第１、第２描画オブジェクトの一方が他方をマスクして表示部１に出力する制御部４と、を備え、制御部４は、第１、第２描画画面の一方に対するユーザの操作入力に連動して、他方の描画画面表示を変更する。
2013105252.tif 000002
【特許請求の範囲】
【請求項１】
第１描画画面および第２描画画面を含む複数の描画画面を、少なくとも部分的に重ね表示可能な地図表示装置において、
前記第１描画画面は、少なくとも１つの第１描画オブジェクトを表示し、
前記第２描画画面は、少なくとも１つの第２描画オブジェクトを表示し、
前記第１描画オブジェクトおよび前記第２描画オブジェクトの少なくとも一方は、地図情報に関する描画オブジェクトを含み、
前記第１描画画面および前記第２描画画面は、同じまたは異なる大きさであって、
ユーザの描画画面表示に関する操作入力を受け付ける入力部（１）と、
前記入力部（１）で受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクして表示部（１）に出力する制御部（４）とを備え、
前記制御部（４）は、前記入力部（１）で受け付けた前記第１描画画面および前記第２描画画面の一方に対するユーザの操作入力に連動して、他方の描画画面表示を変更する、
地図表示装置。
【請求項２】
前記制御部（４）は、前記第１描画画面および前記第２描画画面の一方に対し他方をスライドさせることによって、前記第１描画画面および前記第２描画画面の重なり具合を連続的に変化させることを特徴とする、
請求項１に記載の地図表示装置。
【請求項３】
前記スライドは、表示領域の中心に表示する前記描画オブジェクトがスライドの前後で固定される中心表示固定スライドを含むことを特徴とする、
請求項２に記載の地図表示装置。
【請求項４】
前記入力部（１）と前記表示部（１）とが、タッチパネル付き表示装置として一体に形成されることを特徴とする、
請求項１に記載の地図表示装置。
【請求項５】
前記第１描画画面および前記第２描画画面の重なり部分では、前記第２描画オブジェクトが前記第１描画オブジェクトをマスクし、
前記制御部（４）は、前記入力部（１）が受け付けた前記第２描画画面をスライドさせるユーザの操作入力に応じて、前記重なり制御の前後で前記第１描画画面の前記第２描画画面が重ならない領域の中心に表示される内容が変化しないよう、前記第１描画オブジェクトを変更する、
請求項２に記載の地図表示装置。
【請求項６】
前記第１描画画面および前記第２描画画面の重なり部分では、前記第２描画オブジェクトが前記第１描画オブジェクトをマスクし、
前記制御部（４）は、前記重なり制御の前後で前記第１描画画面の前記第２描画画面が重ならない領域の中心に表示される内容が変化しないよう、前記第１描画画面の表示領域を変更する、
請求項２に記載の地図表示装置。
【請求項７】
前記第１描画画面および前記第２描画画面の重なり部分では、前記第２描画オブジェクトが前記第１描画オブジェクトをマスクし、
前記制御部（４）は、前記入力部（１）が受け付けた前記第２描画画面をスライドさせるユーザの操作入力に応じて、前記第１描画オブジェクトの表示縮尺を変更する、
請求項２に記載の地図表示装置。
【請求項８】
前記第１描画オブジェクトおよび前記第２描画オブジェクトは、地図表示に関する描画オブジェクトを含み、
前記制御部（４）は、前記入力部（１）が受け付けたユーザの操作入力に応じて、前記第１描画画面および前記第２描画画面における地図縮尺を連動して変更する、
請求項２に記載の地図表示装置。
【請求項９】
前記第１描画オブジェクトおよび前記第２描画オブジェクトは、立体地図表示に関する描画オブジェクトを含み、
前記制御部（４）は、前記入力部（１）が受け付けたユーザの操作入力に応じて、前記第１描画画面および前記第２描画画面における高さ縮尺を連動して変更する、
請求項２に記載の地図表示装置。
【請求項１０】
前記第１描画オブジェクトおよび前記第２描画オブジェクトは共に鳥瞰図表示に関する描画オブジェクトを含み、
前記制御部（４）は、前記入力部（１）が受け付けたユーザの操作入力に応じて、前記第１描画画面および前記第２描画画面における視線角度を連動して変更する、
請求項２に記載の地図表示装置。
【請求項１１】
第１描画画面および第２描画画面を含む複数の描画画面を、少なくとも部分的に重ねて表示する地図表示方法であって、
前記第１描画画面は、少なくとも１つの第１描画オブジェクトを表示し、
前記第２描画画面は、少なくとも１つの第２描画オブジェクトを表示し、
前記第１描画オブジェクトと前記第２描画オブジェクトの少なくとも一方は地図情報に関する描画オブジェクトを含み、
前記第１描画画面および前記第２描画画面は、同じまたは異なる大きさであって、
（ａ）ユーザの描画画面表示に関する操作入力を受け付けるステップと、
（ｂ）複数の前記描画画面の描画画面表示を行うステップと、
（ｃ）前記ステップ（ｂ）に先立って、前記ステップ（ａ）において受け付けたユーザの操作入力に応じて、前記第１描画画面および前記第２描画画面の重なり具合を制御し、前記第１描画画面および前記第２描画画面の重なり部分では、前記第１描画オブジェクトおよび前記第２描画オブジェクトの一方が他方をマスクするステップと、
（ｄ）前記ステップ（ｂ）に先立って、前記ステップ（ａ）において受け付けた前記第１描画画面および前記第２描画画面の一方に対するユーザの操作入力に連動して、他方の描画画面表示を変更するステップとを備えることを特徴とする、
地図表示方法。
【請求項１２】
前記ステップ（ｃ）は、前記第１描画画面および前記第２描画画面の一方に対し他方をスライドさせることによって、前記第１描画画面および前記第２描画画面の重なり具合を連続的に変化させることを特徴とする、
請求項１１に記載の地図表示方法。
【請求項１３】
前記スライドは、表示領域の中心に表示する前記描画オブジェクトがスライドの前後で固定される中心表示固定スライドを含むことを特徴とする、
請求項１２に記載の地図表示装置。
【発明の詳細な説明】
【技術分野】
【０００１】
本発明は、地図表示装置および地図表示方法に関し、特に、複数の情報描画画面を同時に表示面に表示する地図表示装置および地図表示方法に関するものである。
【背景技術】
【０００２】
複数の地図描画画面を表示面に表示する地図表示方法として、例えば表示面を２つに分割し、それぞれの表示領域において、例えば車両の現在位置を中心とする地図描画画面を表示するものがあった（特許文献１参照）。ここで地図描画画面とは、地図表示に関連した描画オブジェクトを描画した画面のことである。描画オブジェクトとは、道路線、文字、地形、建物、アイコン、背景色（透明または半透明を含む）、付属する情報等を含み、表示面とは、地図描画画面を実際に表示するディスプレイのことである。地図描画画面は、表示面における所定の表示領域において、表示されることになる。【０００３】
当該地図表示方法によれば、例えば、一方の表示領域において経路誘導に関する地図描画画面を表示し、他方の表示領域においては異なる縮尺で同様の経路誘導に関する地図描画画面を表示することにより、ユーザにとって有益な地図表示方法を実現することが可能であった。【０００４】
特許文献１に示す地図表示方法では、左右の表示領域の境界を可変とする他、境界の移動にあわせて表示する地図をずらすことで、境界の移動の前後で中心に表示する内容を固定し、利便性を高めている。
【先行技術文献】
【特許文献】
【０００５】
【特許文献１】特開２００１−１７４２７１号公報
【発明の概要】
【発明が解決しようとする課題】
【０００６】
２画面表示を行う地図表示方法では、地図の縮尺や色調などの地図表示設定を両画面間で統一することによって、見比べ易い地図表示を行う事ができる。しかし、ユーザが一方の地図の表示設定を変更しながら使用する場合、他方の地図表示とかけ離れた表示設定になることがあり、その結果、両画面の地図表示が見比べにくくなってしまうという問題があった。このような場合、ユーザは他方の地図の表示設定も同様に変更する操作を行う必要があり、ユーザの手間になってしまう。【０００７】
この点、特許文献１は、表示領域の境界移動にあわせて地図をずらすことを示すに留まり、複数画面表示における利便性が不十分であるという問題があった。【０００８】
そこで、本発明は上述の問題点に鑑み、複数の地図描画画面を同時に表示し、ユーザにとって使い勝手の良い地図表示装置および地図表示方法の提供を目的とする。
【課題を解決するための手段】
【０００９】
本発明の地図表示装置は、第１描画画面および第２描画画面を含む複数の描画画面を、少なくとも部分的に重ね表示可能な地図表示装置であって、第１描画画面は、少なくとも１つの第１描画オブジェクトを表示し、第２描画画面は、少なくとも１つの第２描画オブジェクトを表示し、第１描画オブジェクトおよび第２描画オブジェクトの少なくとも一方は、地図情報に関する描画オブジェクトを含み、第１描画画面および第２描画画面は、同じまたは異なる大きさである。本発明の地図表示装置は、ユーザの描画画面表示に関する操作入力を受け付ける入力部と、入力部で受け付けたユーザの操作入力に応じて、第１描画画面および第２描画画面の重なり具合を制御し、第１描画画面および第２描画画面の重なり部分では、第１描画オブジェクトおよび第２描画オブジェクトの一方が他方をマスクして表示部に出力する制御部とを備え、制御部は、入力部で受け付けた第１描画画面および第２描画画面の一方に対するユーザの操作入力に連動して、他方の描画画面表示を変更する。【００１０】
また、本発明の地図表示方法は、第１描画画面および第２描画画面を含む複数の描画画面を、少なくとも部分的に重ねて表示する地図表示方法である。第１描画画面は、少なくとも１つの第１描画オブジェクトを表示し、第２描画画面は、少なくとも１つの第２描画オブジェクトを表示し、第１描画オブジェクトと第２描画オブジェクトの少なくとも一方は地図情報に関する描画オブジェクトを含み、第１描画画面および第２描画画面は、同じまたは異なる大きさである。本発明の地図表示方法は、（ａ）ユーザの描画画面表示に関する操作入力を受け付けるステップと、（ｂ）複数の描画画面の描画画面表示を行うステップと、（ｃ）ステップ（ｂ）に先立って、ステップ（ａ）において受け付けたユーザの操作入力に応じて、第１描画画面および第２描画画面の重なり具合を制御し、第１描画画面および第２描画画面の重なり部分では、第１描画オブジェクトおよび第２描画オブジェクトの一方が他方をマスクするステップと、（ｄ）ステップ（ｂ）に先立って、ステップ（ａ）において受け付けた第１描画画面および第２描画画面の一方に対するユーザの操作入力に連動して、他方の描画画面表示を変更するステップとを備える。
【発明の効果】
【００１１】
本発明の地図表示装置は、ユーザの描画画面表示に関する操作入力を受け付ける入力部と、入力部で受け付けたユーザの操作入力に応じて、第１、第２描画画面の重なり具合を制御し、第１、第２描画画面の重なり部分では、第１、第２描画オブジェクトの一方が他方をマスクして表示部に出力する制御部とを備え、制御部は、入力部で受け付けた第１、第２描画画面の一方に対するユーザの操作入力に連動して他方の描画画面表示を変更するので、ユーザにとって使い勝手の良い地図表示を行う事ができる。【００１２】
また、本発明の地図表示方法は、（ａ）ユーザの描画画面表示に関する操作入力を受け付けるステップと、（ｂ）複数の描画画面の描画画面表示を行うステップと、（ｃ）ステップ（ｂ）に先立って、ステップ（ａ）において受け付けたユーザの操作入力に応じて、第１描画画面および第２描画画面の重なり具合を制御し、第１描画画面および第２描画画面の重なり部分では、第１描画オブジェクトおよび第２描画オブジェクトの一方が他方をマスクするステップと、（ｄ）ステップ（ｂ）に先立って、ステップ（ａ）において受け付けた第１描画画面および第２描画画面の一方に対するユーザの操作入力に連動して、他方の描画画面表示を変更するステップとを備えるので、ユーザにとって使い勝手の良い地図表示を行う事ができる。【００１３】
この発明の目的、特徴、局面、および利点は、以下の詳細な説明と添付図面とによって、より明白となる。
【図面の簡単な説明】
【００１４】
【図１】地図表示装置の概念的な全体構成を示す図である。
【図２】地図表示装置の制御部の概念的な構成を示す図である。
【図３】地図表示装置の動作を説明するフローチャートである。
【図４】地図表示装置の動作を説明するフローチャートである。
【図５】地図表示装置の動作を説明する図である。
【図６】地図表示装置の動作を説明する図である。
【図７】地図表示装置の動作を説明する図である。
【図８】地図表示装置の動作を説明するフローチャートである。
【図９】地図表示装置の動作を説明する図である。
【図１０】地図表示装置の動作を説明する図である。
【図１１】地図表示装置の動作を説明するフローチャートである。
【図１２】地図表示装置の動作を説明する図である。
【図１３】地図表示装置の動作を説明する図である。
【図１４】地図表示装置の動作を説明するフローチャートである。
【図１５】地図表示装置の動作を説明する図である。
【図１６】地図表示装置の動作を説明する図である。
【図１７】地図表示装置の動作を説明するフローチャートである。
【図１８】地図表示装置の動作を説明する図である。
【図１９】地図表示装置の動作を説明する図である。
【図２０】地図表示装置の具体例１の動作を説明する図である。
【図２１】地図表示装置の具体例１の動作を説明するフローチャートである。
【図２２】地図表示装置の具体例１の動作を説明する図である。
【図２３】地図表示装置の具体例２の動作を説明する図である。
【図２４】地図表示装置の具体例２の動作を説明するフローチャートである。
【図２５】地図表示装置の具体例３の動作を説明するフローチャートである。
【発明を実施するための形態】
【００１５】
＜実施の形態１＞
＜構成＞
図１を参照し、実施の形態１にかかる地図表示装置の概念的な全体構成を説明する。なお、地図表示装置の用途は特に限定しないが、以下の実施の形態では、移動体としての車両に搭載されたカーナビゲーション装置を想定し、説明する。
【００１６】
図１に示すように、地図表示装置は、ユーザの画面表示に関する操作入力を受け付ける入力部及び複数の描画画面の画面表示を行う表示部を兼務する入力兼表示部１と、入力兼表示部１で受け付けたユーザの操作入力に応じて、地図描画画面の表示動作を制御する制御部４と、制御部４における動作制御の際に参照される描画オブジェクト等が格納された、第１情報格納部２および第２情報格納部３とを備える。
【００１７】
描画オブジェクトは、描画画面内に表示される、道路線、文字、地形、建物、アイコン、背景色（透明、または半透明であってもよい）、付属する情報等のオブジェクトである。描画オブジェクトに含まれる背景色（背景描画オブジェクト）としては、一様に色が塗られたものに限らず、グラデーションが施されたものや、描画画面内を部分的に塗るものであってもよい。
【００１８】
入力兼表示部１は、具体的には、例えばタッチパネル（タッチパネル付き表示装置）によって実現され、ユーザの表示面への接触（タッチ）を受け、表示面上におけるタッチ位置および動作等からユーザの意図を解析する。ユーザの意図として想定されるものには、表示されている地図に対する操作や、経路探索指示、内蔵されるオーディオ機器等に対する操作等がある。地図に対する操作とは、例えば縮尺の変更や、表示する地図上の位置の変更（スクロール）、現在位置周辺の情報検索、当該情報の比較等である。
【００１９】
第１情報格納部２および第２情報格納部３は、地図情報に関する描画オブジェクト等を格納する。具体的には、地形等を示す地図データ、当該地図上の位置に対応付けられた道路データ、建物データ（図形、形状）、背景色データ等を格納している。ここで建物データとは、建物自体の立体形状や、種別、名称等を示すデータである。なお、第１情報格納部２および第２情報格納部３に格納される情報は地図情報に関する描画オブジェクトに限られるものではなく、入力兼表示部１に表示するための他の描画オブジェクトを格納することができる。
【００２０】
第１情報格納部２および第２情報格納部３は、具体的には、例えばハードディスクドライブ、メモリーカード、ＤＶＤ、またはブルーレイディスク等で実現される。
【００２１】
制御部４は、地図表示装置に備えられる各機能部を制御し、入力兼表示部１に地図描画画面等を表示させる。図１に示すように制御部４は、ユーザからの入力情報を解析することによって、地図描画画面の作成に必要となる、描画オブジェクトに関する抽出条件を形成する。例えば、制御部４が入力情報を解析して、ユーザの意図が「周辺の高速道路の情報の検索」であった場合に、現在位置周辺の一般道路の描画オブジェクトと、現在位置周辺の高速道路の描画オブジェクトとを抽出する条件を形成する。
【００２２】
さらに制御部４は、当該抽出条件に基づいて第１情報格納部２および第２情報格納部３から描画オブジェクトをそれぞれ抽出し、入力兼表示部１に所望の態様で表示させる。制御部４は、具体的にはコンピュータ（ＣＰＵ）とそのプログラムで実現されるものである。
【００２３】
図２は、図１に示す地図表示装置の構成において、特に制御部４の概念的な構成を詳細に示したものである。
【００２４】
制御部４は、入力兼表示部１から入力された入力情報を解析する入力解析部４０１と、入力解析部４０１における解析結果に基づいて、第１情報描画部４０３および第２情報描画部４０５、合成描画部４０７を制御し、入力兼表示部１に地図描画画面等を表示させる全体制御部４０２と、第１情報格納部２に格納された描画オブジェクトである第１描画オブジェクトを抽出し、第１描画画面保持部４０４に、当該第１描画オブジェクトによる描画画面である第１描画画面を描画する第１情報描画部４０３と、第２情報格納部３において格納された描画オブジェクトである第２描画オブジェクトを抽出し、第２描画画面保持部４０６に、当該第２描画オブジェクトによる描画画面である第２描画画面を描画する第２情報描画部４０５と、第１描画画面を保持する第１描画画面保持部４０４と、第２描画画面を保持する第２描画画面保持部４０６と、第１描画画面と第２描画画面とを合成した合成描画画面を、合成描画画面保持部４０８に描画する合成描画部４０７と、合成描画部４０７で作成した合成描画画面を保持する合成描画画面保持部４０８とを備える。合成描画画面保持部４０８に保持された合成描画画面は、入力兼表示部１において表示される。
【００２５】
入力解析部４０１は、ユーザの意図による入力情報を解析する。すなわち、描画画面表示内容とユーザが表示面にタッチした位置や動作等の条件を解析し、ユーザの意図に沿う操作（機器操作等）を識別する。ここで、ユーザのタッチパネル操作には、従来からある単なるアイコンをタッチする単純タッチ操作（通常タッチ操作）と、動きのある「ジェスチャー操作」すなわち、後述の「引きずり操作」や「飛ばし操作」等がある。
【００２６】
全体制御部４０２では、当該解析結果に基づいて必要となる描画オブジェクトを特定し、第１情報描画部４０３に、第１情報格納部２から第１描画オブジェクトを抽出させ、第２情報描画部４０５に、第２情報格納部３から第２描画オブジェクトを抽出させる。
【００２７】
第１情報描画部４０３は、抽出した第１描画オブジェクトから第１描画画面を形成し、第１描画画面保持部４０４（メモリ部）に描画する。当該描画は、抽出された第１描画オブジェクトにおける地図データや道路データ、建物データ等を組み合わせて実現される。
【００２８】
第２情報描画部４０５は、抽出した第２描画オブジェクトから第２描画画面を形成し、第２描画画面保持部４０６（メモリ部）に描画する。当該描画は、抽出された第２描画オブジェクトにおける地図データや道路データ、建物データ等を組み合わせて実現される。
【００２９】
第１情報描画部４０３および第２情報描画部４０５では、例えば、車両の現在位置データや、経路探索動作によって得られた車両の目的地までの経路データ等の、装置内で生成された情報についても、それぞれで形成した地図描画画面（第１描画画面、第２描画画面）に付加して、対応する描画画面保持部に描画することができる。
【００３０】
さらに全体制御部４０２は、第１描画画面保持部４０４に保持された第１描画画面と第２描画画面保持部４０６に保持された第２描画画面とを合成描画部４０７で合成させ、合成描画画面保持部４０８（メモリ部）に描画させる。合成描画画面は、合成描画画面保持部４０８で保持された後、入力兼表示部１で表示される。
【００３１】
合成描画部４０７は、第１描画画面と第２描画画面とを、それぞれの描画内容を保持したまま、全部あるいは部分的に重なって表示されるように合成することにより、合成描画画面を作成する。第１描画画面と第２描画画面が重なって表示される部分では、重なりの上側に位置する描画画面の描画オブジェクトが下側の描画画面の描画オブジェクトをマスクするので、上側の描画オブジェクトのみが見える状態となる。しかし、描画画面同士の重なり具合を制御して重なりを解消すると、下側の描画画面の描画オブジェクトを見える状態にすることが可能である。なお、ここでいう「上下」とは、表示面の法線方向における上下であり、より手前側を「上」とするものであるが、実際には描画画面のデータを概念的に重ねているものである。
【００３２】
合成される第１描画画面および第２描画画面は、それぞれ第１注目点、第２注目点を有していても良い。
【００３３】
ここで第１注目点および第２注目点とは、ユーザが描画画面上で特に注目する点を指し、ユーザが第１描画画面と第２描画画面の双方を参照する際に比較対象とする点として主観的に定義される。例えば、車両の周辺地図における車両の現在位置や、目的地周辺地図における目的地の位置など、描画画面の作成目的となる点が該当し得る。
【００３４】
第１描画オブジェクトと第２描画オブジェクトは、所定の関連性を有していても良い。例えば、第１描画画面が所定の地理範囲の地図を表示し、第２描画画面が第１描画画面と同一または近傍の地理範囲の地図を表示する場合が、所定の関連性として挙げられる。また、第１描画画面が自車位置周辺を表示するのに対して、第２描画画面は目的地までの経路を表示するといった、移動経路上の関連性がある。また、同一車両の現在の走行路と過去の走行履歴といった時間的関連性がある。
【００３５】
地図描画画面を重ねる順序は、ユーザの意図に沿うように、例えば描画オブジェクトの組み合わせごとに決定することができる。このとき、実際の空間配置に倣った上下関係で表示すれば、把握がより容易になる。例えば、高架道路を表示する描画画面は、一般道路を表示する描画画面の上に重ねる。また、地上地図を表示する描画画面は、地中地図を表示する描画画面の上に重ねる。なお、重ねる順序は随時変更可能である。
【００３６】
＜基本動作＞
次に、実施の形態１にかかる地図表示装置の動作の概要について説明する。
【００３７】
本発明にかかる地図表示装置は、複数の地図描画画面を重ねて表示することが可能である。そして、ユーザ操作を反映して地図描画画面の重なり具合が更新されるので、ユーザは上側の地図描画画面における描画オブジェクトと、下側の地図描画画面における描画オブジェクトとを比較し、両者の関係性を容易に把握することが出来る。これらの動作に際して、制御部４の特に全体制御部４０２において各機能部の制御を行う。
【００３８】
以下の説明では、上に重ねられる地図描画画面の表示位置を更新する所定の操作の具体的方法として、スライド方法を用いる。スライド方法については以下に説明するが、描画画面の表示位置を連続的に移動する方法のことをいう。
【００３９】
地図表示装置の具体的な動作について、図３を参照しつつ説明する。
【００４０】
まずステップＳＴ１０において、地図表示装置の電源を入れ、入力兼表示部１において初期画面を表示させる。初期画面は通常のタッチ操作を受け付ける通常表示モードとする。
【００４１】
次にステップＳＴ１１において、入力兼表示部１で表示した初期画面にユーザが所定の操作を行い、スライド表示モードに遷移する。スライド表示モードとは、ユーザが入力兼表示部１に対するジェスチャー操作によって、上側の地図描画画面をスライドすることが可能なモードのことである。表示モードの変更は、例えばタッチ操作、ボタン操作、アイコン操作、ジェスチャー操作、音声入力等によって行う。
【００４２】
全体制御部４０２には、表示モードの種類を記憶するパラメータが格納されており、当該パラメータを参照することにより、スライド表示モードであるか否かを判断できる。例えば、パラメータの値が所定の閾値より大きいまたは小さいことをもって、スライド表示モードであるか否かを判断する。当該パラメータは、例えばアイコン操作や音声入力などのユーザ操作を通して設定されるものであっても良いし、予め設定した条件（車両状態や表示面における表示状態を含む）で自動的に変更されるものであってもよい。また入力兼表示部１の表示画面にアイコン等を表示し、スライド表示モードであるか否かをユーザが視認できるようにしても良い。
【００４３】
スライド表示モードに遷移したら、ステップＳＴ１２において、スライド距離Ｘ０を０に設定する。
【００４４】
次にステップＳＴ１３において、第１描画画面および第２描画画面を作成する。当該作成は、上記のようにユーザの入力情報に従って、第１情報描画部４０３および第２情報描画部４０５において行う。作成した第１描画画面は第１描画画面保持部４０４に、第２描画画面は第２描画画面保持部４０６に、それぞれ描画され保持される。
【００４５】
次にステップＳＴ１４において、上に重ねられる地図描画画面の表示位置を更新するスライド操作が行われたか否かを検出する。入力解析部４０１がユーザの入力兼表示部１におけるジェスチャー操作を解析することにより、スライド操作を検出する。
【００４６】
次にステップＳＴ１５において、スライド操作に基づいてスライド距離Ｘ０を更新する。
【００４７】
次にステップＳＴ１６において、第１描画画面および第２描画画面において表示された描画オブジェクトを更新する。当該更新は、例えば車両の移動に伴って変動する表示内容の変動や、渋滞情報の変動など、時々刻々変化する情報に対応するものである。
【００４８】
次にステップＳＴ１７において、スライド距離Ｘ０に従って、上に重ねられる地図描画画面の表示位置を決定し、第１描画画面と第２描画画面とから合成描画画面を作成する。そして、入力兼表示部１に合成描画画面を描画、すなわち表示する。詳細については後述する。
【００４９】
次にステップＳＴ１８において、スライド表示モードを終了する所定の操作を入力解析部４０１が検出したか否かを全体制御部４０２が判断する。当該操作が検出された場合にはステップＳＴ１９へ進み、当該操作が検出されない場合にはステップＳＴ１４へ戻る。スライド表示モードの終了は、例えばタッチ操作、ボタン操作、アイコン操作、ジェスチャー操作、音声認識などによって行うことが出来る。
【００５０】
次にステップＳＴ１９において、通常表示モードに遷移し、ステップＳＴ１１に戻る。
【００５１】
＜ボードスライド＞
次に、合成描画部４０７が行うステップＳＴ１７の詳細について、図４〜７を参照しつつ説明する。当該ステップでは合成描画画面の作成が行われるが、第１描画画面の全面に第２描画画面が重なった状態（全重ね状態）から、第２描画画面をボードスライドでスライドアウトする場合を説明する。ここで、ボードスライドとは、描画オブジェクトがスライドに連動してスライド方向に移動するスライド方式のことをいう。また、描画画面同士が重なった状態から、上側の描画画面が移動し、表示面外へ出て行く動作のことをスライドアウトといい、スライドアウトによって描画画面の全てが表示面外に出た状態を完全スライドアウトという。また、完全スライドアウトのことを、他方の描画画面と全く重ならなくなった状態であることに着目して全ずれ状態ともいう。
【００５２】
なお、本明細書では一貫して第２描画画面を上側、第１描画画面を下側として説明するが、逆であってもよい。
【００５３】
まず、図４のステップＳＴ４１１において、第１描画画面保持部４０４に保持された第１描画画面を合成描画画面保持部４０８に描画する。
【００５４】
次にステップＳＴ４１２において、スライド操作によって更新したスライド距離Ｘ０に従って、第２描画画面の第１描画画面に対する重なり位置を決定する。図５および図６に、描画画面に表示される描画オブジェクトの表示位置がそれぞれの異なる場合の、描画画面の合成方法を模式的に示す。
【００５５】
スライド距離Ｘ０が０である場合には、第１描画画面と第２描画画面とが完全に重なり、第２描画オブジェクトが第１描画オブジェクトを全てマスクする位置にする。注目点が設定されている場合には、第１描画画面における第１注目点と第２描画画面における第２注目点とが、表示面において重なって一致するような位置にしておくことが望ましい。すなわち、第１描画画面および第２描画画面において車両の周辺地図が示されている場合には、それぞれの描画画面における車両の現在位置が一致するような位置にすることが望ましい（この場合には、第１注目点と第２注目点の表示面上の位置が共通している）。
【００５６】
スライド距離Ｘ０が０以外に更新された場合には、ユーザが例えばジェスチャー操作において表示面にタッチした位置、動作に基づくスライド距離Ｘ０に応じて、第２描画画面の第１描画画面への重なり位置を決定する。
【００５７】
スライド距離Ｘ０を更新するユーザのジェスチャー操作には、引きずり操作、シャッター操作、飛ばし操作がある。
【００５８】
引きずり操作は、ユーザが表示面にタッチした指をタッチしたまま所定方向に移動させるジェスチャー操作により実現し、当該ジェスチャー操作に追随して描画画面が移動する。ユーザが引きずり操作を行うと、第２描画画面の第１描画画面に対する重なり位置を指の移動距離（図５および図６におけるスライド距離Ｘ０）だけ指の移動方向にずらす。右方向への引きずり操作の場合は、第１描画画面の左端から右方向にスライド距離Ｘ０だけ離れた位置を重なり開始位置と決定する。なお、引きずり操作により合成描画画面の作成を行うモードを引きずりモードと呼ぶ。
【００５９】
引きずりモードの引きずり操作によってスライドされた第２描画画面は、次のジェスチャー操作があるまではスライドされた位置に留まる。これに対して、ユーザが引きずり操作を行った後に指を表示面から離すと、引きずり操作前の重なり位置まで第２描画画面が戻るようにしても良い。この場合のスライド操作を、引きずり操作と区別してシャッター操作と呼び、シャッター操作により合成描画画面の作成を行うモードをシャッターモードと呼ぶ。
【００６０】
引きずりモードとシャッターモードのいずれのモードでスライド操作を行うかは、ユーザが予めアイコン等を選択して設定しても良いし、入力解析部４０１が表示面にタッチする指の本数や指圧の変化等を検出することによって区別しても良い。
【００６１】
飛ばし操作は、表示面にタッチした指でトランプを飛ばすような動作（はじくような動作）を行うことにより実現する。ユーザが飛ばし操作を行うと、第２描画画面の第１描画画面に対する重なり位置を、飛ばし操作に応じた距離だけ飛ばし操作の方向にずらす。右方向への引きずり操作の場合は、第１描画画面の左端から右方向にスライド距離Ｘ０だけ離れた位置を重なり開始位置と決定する。ここで、スライド距離Ｘ０（図５，６参照）は引きずりモードとは異なり時間と共に増加する量であるので、第２描画画面は右方向にスライドし、最終的には完全スライドアウトする。当該操作のように、所定のタッチ操作で指定した方向に上に重ねられる描画画面を移動させ、以降は所定の慣性に従って移動させる操作を飛ばし操作といい、当該操作を行うモードを飛ばしモードと呼ぶ。
【００６２】
飛ばしモードでは、例えば次の条件や組み合わせで飛ばし操作を判断する。（ａ）タッチパネルにタッチした後、表示面上のある方向へ所定の速度以上で指をすばやく動かした場合、（ｂ）タッチパネルを押した後、表示面上のある方向へ予め定められた所定の速度以上で、押圧を下げて指をすばやく動かす場合、（ｃ）タッチパネルにタッチした後、表示面上のある方向へ予め定められた所定の速度以上で指をすばやく動かし、指をタッチパネルからやや離す場合である（ただし、この場合には、３次元位置を認識するタッチパルが必要である）。
【００６３】
なお、条件（ａ）の飛ばし操作は、指の移動速度によって引きずり操作と区別される。また、（ａ）〜（ｃ）における所定の速度として設定される速度は、それぞれの条件ごとに異なる速度であってよい。
【００６４】
次にステップＳＴ４１３において、ステップＳＴ４１２で決定した重なり位置、具体的には重なり開始位置に従って、第２描画画面を第１描画画面に重ねて描画（データを上書き）する。例えば、表示面の右側へスライドアウトする場合には、第２描画画面の左端が重なり開始位置に一致するように重ねて描画する。
【００６５】
第１描画画面に重なりきらない第２描画画面の領域（図５および図６のＰ２）は、表示面には表示しない。すなわち、第２描画画面が重ならないスライド距離Ｘ０の幅の第１描画画面の第１描画オブジェクトと、第２描画画面左端から幅Ｄ１分（右端からＸ０の幅を除いた分）の、第２描画画面の第２描画オブジェクト（図５および図６におけるＰ１）とが、表示面に表示されることになる。
【００６６】
上記のような合成描画画面の作成を順次行うことで、図７に示すボードスライドによるスライドアウトが可能となる。図７では、描画オブジェクトＡ、描画オブジェクトＢ、描画オブジェクトＣ、第１背景描画オブジェクトを描画した第１描画画面上に、描画オブジェクトａ、描画オブジェクトｂ、描画オブジェクトｃ、第２背景描画オブジェクトを描画した第２描画画面を重ねている。仮に、第１描画画面における第１注目点を描画オブジェクトＡ、第２描画画面における第２注目点を描画オブジェクトａとする。第１背景描画オブジェクト及び第２背景描画オブジェクトは、例えば描画画面サイズと同一の大きさでクリーム色に塗られた長方形オブジェクトである。第２描画画面には第２背景描画オブジェクトの上に、描画オブジェクトａ、描画オブジェクトｂ、描画オブジェクトｃが描画される。
【００６７】
図７において、（１ａ）、（２ａ）、（３ａ）は、下側の第１描画画面と上側の第２描画画面とを側面方向から見た模式図であり、（１ｂ）、（２ｂ）、（３ｂ）は、第１描画画面と第２描画画面とを上面方向から見た模式図である。
【００６８】
ユーザが指で入力兼表示部１にタッチし、タッチしたまま指を図における右方向に移動させていく（引きずり操作）。そうすると、上側の第２描画画面の重なり開始位置が順次更新されるので（１ａ→２ａ→３ａ、もしくは１ｂ→２ｂ→３ｂ）、第２描画画面全体がボードに乗ってスライドしたように右側へ移動して表示される。すなわち、描画オブジェクトａ，ｂ，ｃが、ボードに乗っているように右側へ移動していく。
【００６９】
（１ａ）および（１ｂ）の状態では、第１描画画面と第２描画画面とが完全に重なり、描画オブジェクトＡ，Ｂ，Ｃが第２背景描画オブジェクトにマスクされている。なお、第２描画画面が第１描画画面に対して小さい画面であるときは、第２描画画面の大きさ分の第１描画画面の領域上に、第２描画画面が重なっていればよい。
【００７０】
（２ａ）および（２ｂ）の状態で、描画オブジェクトａおよび描画オブジェクトｂは入力兼表示部１の表示面に表示されているが、一番右側の描画オブジェクトｃは表示面から外れて表示されなくなる。一方で描画オブジェクトＡは表示されているが、描画オブジェクトＢ，Ｃは第２背景描画オブジェクトにマスクされ非表示となる。注目点が設定されている場合には、第１注目点である描画オブジェクトＡと、第２注目点である描画オブジェクトａとが近くに表示されるので、両描画オブジェクトの関係性の把握が容易となる（図６も参照）。またこのとき、上側の第２描画画面と下側の第１描画画面との相対位置関係は随時変化している。
【００７１】
（３ａ）および（３ｂ）の状態では、上側の第２描画画面がさらに右へ移動し、描画オブジェクトｂも入力兼表示部１の表示面から外れ、表示されなくなる。一方で描画オブジェクトＡおよび描画オブジェクトＢは表示されているが、描画オブジェクトＣは第２背景描画オブジェクトにマスクされ非表示となる。またこのとき、上側の第２描画画面と下側の第１描画画面との相対位置関係は随時変化している。
【００７２】
次に図８〜１０を参照して、ボードスライドによるスライドインを用いた合成描画画面の作成について説明する。この場合、初期状態で地図描画画面同士は全く重なっておらず（全ずれ状態）、第２描画画面が表示面外から移動してきて第１描画画面に徐々に重なり、最終的に全重ね状態となる。
【００７３】
まずステップＳＴ４３１において、第１描画画面保持部４０４に保持された第１描画画面を合成描画画面保持部４０８に描画する。
【００７４】
次にステップＳＴ４３２において、スライド操作によって更新したスライド距離Ｘ０に従って、第２描画画面の第１描画画面への重なり位置を決定する。図９，１０に、描画画面に表示される描画オブジェクトの表示位置がそれぞれ異なる場合の、描画画面の合成方法を模式的に示す。
【００７５】
スライド距離Ｘ０が０である場合には、第２描画画面が完全に表示面外となるように重なり位置を決定する。
【００７６】
スライド距離Ｘ０が０以外に更新された場合には、ユーザのジェスチャー操作に基づくスライド距離Ｘ０に応じて、重なり位置を決定する。
【００７７】
注目点が設定されている場合には、スライド距離Ｘ０の更新によって、第１描画画面における第１注目点と第２描画画面における第２注目点とが近づいていくように、第２描画画面の第１描画画面への重なり位置が決定されることが望ましい。
【００７８】
次にステップＳＴ４３３において、重なり位置、具体的には重なり開始位置に従って、第２描画画面を重ねて描画する。例えば、表示面の左側からスライドインする場合には、第２描画画面の右端が重なり開始位置に一致するように重ねて描画する。
【００７９】
第１描画画面に重なりきらない部分（図９および図１０におけるＰ１）は、表示面には表示されない。この状態においては、第２描画画面が重ならない幅Ｄ１の第１描画画面の第１描画オブジェクトと、第２描画画面右端からスライド距離Ｘ０分の、第２描画画面の第２描画オブジェクト（図９，１０のＰ２）とが、表示面に表示されることになる。
【００８０】
次に図１１〜１３を参照して、ボードスライドによる右方向のスライドインについて説明する。この場合、第２描画画面が表示面外から右方向に移動してきて第１描画画面に重なる。
【００８１】
まずステップＳＴ４４１において、第１描画画面保持部４０４に保持された第１描画画面を合成描画画面保持部４０８に描画する。
【００８２】
次にステップＳＴ４４２において、スライド操作によって更新したスライド距離Ｘ０に従って、第２描画画面の第１描画画面への重なり位置を決定する。図１２，１３に、描画画面に表示される描画オブジェクトの表示位置がそれぞれ異なる場合の、描画画面の合成方法を模式的に示す。
【００８３】
スライド距離Ｘ０が０である場合には、第２描画画面が完全に表示面外となる位置に重なり位置を決定する。ただし、図９，１０に示す場合とは逆側（右側）の表示面外である。
【００８４】
スライド距離Ｘ０が０以外に更新された場合には、当該更新に係るユーザのジェスチャー操作に基づくスライド距離Ｘ０に応じて、第２描画画面の第１描画画面への重なり位置を決定する。
【００８５】
次にステップＳＴ４４３において、重なり位置、具体的には重なり開始位置に従って、第２描画画面を第１描画画面に重ねて描画する。例えば、表示面の右側からスライドインする場合には、第２描画画面の左端が重なり開始位置に一致するように重ねて描画する。
【００８６】
第１描画画面に重なりきらない部分（図１２，１３におけるＰ２）は、表示面には表示されない。この状態では、第２描画画面が重ならない幅Ｄ１の第１描画画面の第１描画オブジェクトと、第２描画画面左端からスライド距離Ｘ０分の、第２描画画面の第２描画オブジェクト（図１２，１３におけるＰ１）とが、表示面に表示されることになる。但し、図９，１０とは、左右の並びが入れ替わって表示されている。
【００８７】
以上ではボードスライドの動作について説明したが、スライドの方向やスライドする地図描画画面の動き方等に、様々なバリエーションが考えられる。
【００８８】
＜カーテンスライド＞
次に、カーテンスライドを用いた合成描画画面の作成（図３のステップＳＴ１７）について図１４〜１６を参照しつつ説明する。ここで、カーテンスライドとは、描画オブジェクトの表示位置を固定しながら、表示領域を連続的に変動（増やすまたは減らす）するスライド方式のことをいう。特に、全重ね状態から上側の第２描画画面が表示面右方向にスライドアウトする場合を説明する。
【００８９】
なお、いずれのスライド方式で合成描画画面の作成を行うかは、ユーザのジェスチャー操作の態様で区別しても良いし、表示する地図の組み合わせに応じて予め設定しても良い。
【００９０】
まずステップＳＴ４２１において、第１描画画面保持部４０４に保持された第１描画画面を合成描画画面保持部４０８に描画する。
【００９１】
次にステップＳＴ４２２において、スライド操作によって更新したスライド距離Ｘ０に従って、第２描画画面の第１描画画面に対する重なり位置を決定する。
【００９２】
スライド距離Ｘ０が０である場合には、第１描画画面と第２描画画面とが完全に重なり、第２描画オブジェクトが第１描画オブジェクトを全てマスクするように重なり位置を、決定する。注目点が設定されている場合には、第１描画画面における第１注目点と第２描画画面における第２注目点とが、表示面において重なって一致するように重なり位置を決定することが望ましい。すなわち、第１描画画面および第２描画画面において車両の周辺地図が示されている場合には、それぞれの描画画面における車両の現在位置が一致するように重なり位置を決定することが望ましい。
【００９３】
スライド距離Ｘ０が０以外に更新された場合には、ユーザのジェスチャー操作に基づくスライド距離Ｘ０に応じて、第２描画画面の第１描画画面への重なり位置を決定する。
【００９４】
引きずりモードでは、ユーザが表示面にタッチし移動した距離（図１５におけるスライド距離Ｘ０）をオフセットとして重なり開始位置を設定する。
【００９５】
シャッターモードでも同様に重なり開始位置を設定するが、シャッターモードの場合は、ユーザが表示面にタッチする操作を終了すると同時に、重なり位置を元に戻す。
【００９６】
飛ばしモードでは、時間とともに増加する量（図１５におけるスライド距離Ｘ０が時間とともに増加する）をオフセットとして、第２描画画面の重なり開始位置を設定する。
【００９７】
次にステップＳＴ４２３において、重なり位置、具体的には重なり開始位置に従って、第２描画画面を第１描画画面に重ねて描画する。第２描画画面を表示面の右側へスライドアウトする場合には、第２描画画面の除去されていく左端が重なり開始位置に一致するように重ねて描画する。すなわち、第２描画画面の画面左端からスライド距離Ｘ０だけオフセットされた位置が、重なり開始位置に一致する。
【００９８】
第２描画画面のうち、第１描画画面上から除去された部分（図１５のＰ１）は表示面に表示されない。この状態においては、第２描画画面が重ならないスライド距離Ｘ０の幅の第１描画画面の第１描画オブジェクトと、第２描画画面右端から幅Ｄ１分の、第２描画画面の第２描画オブジェクト（図１５のＰ２）とが、表示面に表示されることになる。
【００９９】
上記のような合成描画画面の作成を順次行うことで、図１６に示す動作（カーテンスライドによるスライドアウト）が可能となる。図１６では、描画オブジェクトＡ、描画オブジェクトＢ、描画オブジェクトＣ、第１背景描画オブジェクトを描画した第１描画画面上に、描画オブジェクトａ、描画オブジェクトｂ、描画オブジェクトｃ、第２背景描画オブジェクトを描画した第２描画画面を重ねている。仮に、第１描画画面における第１注目点を描画オブジェクトＢ、第２描画画面における第２注目点を描画オブジェクトｂとする。第１背景描画オブジェクト及び第２背景描画オブジェクトは、例えば描画画面サイズと同一の大きさでクリーム色に塗られた長方形オブジェクトである。第２描画画面には第２背景描画オブジェクトの上に、描画オブジェクトａ、描画オブジェクトｂ、描画オブジェクトｃが描画される。
【０１００】
図１６において、（１ａ）、（２ａ）、（３ａ）は、下側の第１描画画面と上側の第２描画画面とを、側面方向から見た模式図であり、（１ｂ）、（２ｂ）、（３ｂ）は、第１描画画面と第２描画画面とを上面方向から見た模式図である。
【０１０１】
ユーザが入力兼表示部１で図１６の右方向に引きずり操作を行う。そうすると、上側の第２描画画面の重なり開始位置が順次更新され（１ａ→２ａ→３ａ、もしくは１ｂ→２ｂ→３ｂ）、第２描画画面が描画オブジェクトの表示位置を維持しながら連続的に、カーテンを引くようにスライドされて表示される（カーテンスライド）。
【０１０２】
（１ａ）および（１ｂ）の状態では、第１描画画面と第２描画画面とが全重ね状態にあり、描画オブジェクトＡ、描画オブジェクトＢ、描画オブジェクトＣがそれぞれ、第２背景描画オブジェクトにマスクされている。なお、第２描画画面が第１描画画面より小さい画面であるときは、第２描画画面の大きさ分の第１描画画面の領域上に、第２描画画面が重なっていればよい。
【０１０３】
（２ａ）および（２ｂ）の状態では、描画オブジェクトｂおよび描画オブジェクトｃは入力兼表示部１の表示面に表示されているが、一番左側の描画オブジェクトａは表示されない。一方で描画オブジェクトＡは表示されているが、描画オブジェクトＢ，Ｃは第２背景描画オブジェクトにマスクされ非表示となる。またこのとき、上側の第２描画画面と下側の第１描画画面との相対位置関係は維持されている。すなわち、第１注目点と第２注目点とが、表示面上において常に一致している。
【０１０４】
（３ａ）および（３ｂ）の状態では、上側の第２描画画面がさらに右まで除去され、描画オブジェクトｂも入力兼表示部１の表示面から除去され、表示されなくなる。一方で描画オブジェクトＡおよび描画オブジェクトＢは表示されているが、描画オブジェクトＣは第２背景描画オブジェクトにマスクされ非表示となる。注目点が設定されている場合には、第２注目点である描画オブジェクトｂが除去された位置に第１注目点である描画オブジェクトＢが表示されることで、両描画オブジェクトの関係性の把握が容易となる（図１５も参照）。またこのとき、上側の第２描画画面と下側の第１描画画面との相対位置関係は維持されている。
【０１０５】
また、第２背景描画オブジェクトは単色のクリーム色として説明したが、図１６において、描画オブジェクトａ付近はクリーム色で、描画オブジェクトｃ付近はピンク色になるようにグラデーションがかかっている場合は、（１ａ）、（２ａ）、（３ａ）の描画背景色は、同一のピンクに近い色である。
【０１０６】
以上に示したカーテンスライドでは、第２描画オブジェクトの表示位置を変更することなく第２描画画面をスライドすることによって、下側の第１描画画面が見える範囲を変化させるものである。ここではカーテンスライドで表示面右方向にスライドアウトする例を説明したが、スライド方向は左右上下といった一様な方向に限らず、ユーザのタッチ位置を中心として放射上にスライドが進行するものでも良い。また、スライド進行時に第２描画画面を点滅させたりフェード表示するなど、様々なバリエーションが考えられる。
【０１０７】
また、以上に示したスライド方法は、ユーザが第２描画画面が表示されているエリアのどこをタッチ等して操作してもスライド操作できたが、スライド操作を受け付ける第２描画画面の表示範囲を限定しても良い。例えば、第２描画画面の表示範囲のうち、第１描画画面との境界の近傍領域のみをスライド操作を受け付ける領域としても良い。
【０１０８】
また、アイコン等でスライド操作を受け付けるエリアを表示しても良い。この場合、引きずり操作、飛ばし操作、単なるタッチ操作による通常の操作遷移を並存して受けつけることが可能となり、使い勝手の良い装置を提供することができる。
【０１０９】
また、上記の例では第２背景描画オブジェクトを描画画面と同一の大きさのクリーム色の矩形オブジェクトとした。しかし背景描画オブジェクトの形状は矩形に拘るものではなく、台形、楕円形、または穴あきオブジェクトであっても良い。また背景描画オブジェクトの色彩は淡色に拘るものではなく、グラデーションや模様を描くものであればデザインの良い表示を提供できる。
【０１１０】
又、上記の例では第１描画オブジェクトおよび第２描画オブジェクトはそれぞれ第１情報格納部２、第２情報格納部３に格納されているとして説明したが、全体制御部４０２がソフトウェア処理により双方または一方の描画オブジェクトを生成しても良い。例えば、自車位置マークなどは全体制御部４０２がプログラムで生成しても良い。また、双方もしくは一方の背景描画オブジェクトを全体制御部４０２がソフトウェア処理で生成しても良い。
【０１１１】
また、上記の例では矩形の描画オブジェクトである背景描画オブジェクトを描画画面にレンダリングする方法を説明したが、背景描画オブジェクトの生成方法はこの方法に拘るものではない。例えば、描画画面そのものが背景描画オブジェクトに相当する背景色を生成する機能を有する場合は、全体制御部４０２がソフトウェア処理によって第１描画画面保持部及び第２描画画面保持部の背景色を設定してよい。
【０１１２】
また、ハードウェア構造もしくはソフトウェア処理上、第１描画画面および第２描画画面の背景色の設定を合成描画部４０７が入力して生成する場合は、全体制御部４０２がソフトウェア処理によって、それぞれの背景色を設定しても良い。
【０１１３】
なお、本明細書における描画オブジェクトは、上記のようなソフトウェア処理によって最終的に入力兼表示部１に表示される表示物も含む概念である。
【０１１４】
＜中心表示固定スライド＞
次に、中心表示固定スライドについて図１７〜１９を参照しつつ説明する。本明細書では、スライドによって描画画面の表示エリアの面積が変化しても、スライドの前後で表示エリアの中心に表示する描画オブジェクトが固定されるスライド方式を、中心表示固定スライドと呼ぶ。
【０１１５】
図１７は、中心表示固定スライドによる合成描画画面の作成動作（図３のステップＳＴ１７）の詳細を示すフローチャートである。図１７に示すように、まずステップＳＴ４５１において、合成描画部４０７は、第１描画画面保持部４０４に保持された第１描画画面を合成描画画面保持部４０８に描画する。
【０１１６】
次にステップＳＴ４５２において、スライド操作によって更新したスライド距離Ｘ０に従って、第２描画画面の第１描画画面に対する重なり位置を決定する。図１８に、描画画面の合成方法を模式的に示す。
【０１１７】
スライド距離Ｘ０が０である場合は、初期状態として予め設定された重なり位置を採用する。ここでは、第１、第２描画画面が全重ね状態になり、第２描画オブジェクトが第１描画オブジェクトを全てマスクするような位置に重なり位置を設定するものとして説明する。
【０１１８】
スライド距離Ｘ０が０以外に更新された場合には、ユーザのジェスチャー操作に応じて、第２描画画面の第１描画画面への重なり位置を決定する。
【０１１９】
引きずりモードでは、ユーザが表示面にタッチし移動した距離（図１８におけるスライド距離Ｘ０）をオフセットとして重なり開始位置を設定する。
【０１２０】
シャッターモードでも同様に重なり開始位置を設定するが、シャッターモードの場合は、ユーザが表示面にタッチする操作を終了すると同時に、重なり開始位置を元に戻す。
【０１２１】
飛ばしモードでは、時間と共に増加する量（図１８におけるスライド距離Ｘ０が時間と共に増加する）をオフセットとして、第２描画画面の重なり開始位置を設定する。
【０１２２】
次にステップＳＴ４５３において、重なり位置、具体的には重なり開始位置に従って、第２描画画面の描画範囲を第１描画画面に重ねて描画する。図１８は第２描画画面を表示面の右側へスライド距離Ｘ０だけスライドアウトする例を示している。この場合は、第２描画画面の左端からスライド距離Ｘ０の半分Ｘ０／２だけオフセットされた位置から右側の領域が描画範囲となる。そして、第２描画画面の描画範囲の左端が重なり開始位置と一致するようにして、当該描画範囲を第１描画画面に重ねて描画する。
【０１２３】
第２描画画面のうち、描画範囲外の部分（図１８のＰ１Ａ）と、描画範囲であるが第１描画画面上に重なりきらない部分（図１８のＰ１Ｂ）は表示面に表示されない。この状態では、第２描画画面が重ならないスライド距離Ｘ０の幅の第１描画画面上の第１描画オブジェクトと、第２描画画面の左端からＸ０／２の位置を基点とした幅Ｄ１（第１描画画面に重なる幅）分の第２描画画面上の第２描画オブジェクト（図１８のＰ２）とが、表示面に表示される。
【０１２４】
上記に説明した合成描画画面の作成を図３のステップＳＴ１４〜ＳＴ１８のループ中で繰り返し行うことにより、図１９に示す動作（中心表示固定スライドによるスライドアウト）が実現する。図１９では、描画オブジェクトＡ1，Ａ2，Ｂ，Ｃ1，Ｃ2、第１背景描画オブジェクトを描画した第１描画画面上に、描画オブジェクトａ1，ａ2，ｂ，ｃ1，ｃ2、第２背景描画オブジェクトを描画した第２描画画面を重ねている。第１背景描画オブジェクト及び第２背景描画オブジェクトは、例えば描画画面サイズと同一の大きさでクリーム色に塗られた長方形オブジェクトである。第２描画画面には第２背景描画オブジェクトの上に、描画オブジェクトａ、描画オブジェクトｂ、描画オブジェクトｃが描画される。
【０１２５】
図１９において、（１ａ）、（２ａ）、（３ａ）は、第１描画画面と第２描画画面を側面方向から見た模式図であり、（１ｂ）、（２ｂ）、（３ｂ）は、第１描画画面と第２描画画面を上面方向から見た模式図である。
【０１２６】
ユーザが指で入力兼表示部１にタッチし、タッチしたまま指を図における右方向に移動させていく（引きずり操作）。すると、第２描画画面の第１描画画面に対する重なり開始位置が順次更新され（１ａ→２ａ→３ａ、もしくは１ｂ→２ｂ→３ｂ）、第２描画画面は表示領域の中心に表示される第２描画オブジェクトを固定しながら、画面右方向にスライドされて表示される（中心表示固定スライド）。
【０１２７】
（１ａ）および（１ｂ）の状態では、第１描画画面と第２描画画面が全重ね状態にあり、第１描画オブジェクトＡ1，Ａ2，Ｂ，Ｃ1，Ｃ2がそれぞれ、第２背景描画オブジェクトにマスクされている。なお、第２描画画面の表示領域の中心には第２描画オブジェクトｂが表示されている。
【０１２８】
（２ａ）および（２ｂ）の状態では、第２描画オブジェクトａ2，ｂ，ｃ1が表示面に表示されているが、左端の第２描画オブジェクトａ1は描画範囲から外れ、右端の第２描画オブジェクトｃ2は入力兼表示部１の表示面から除去され、それぞれ表示されなくなる。一方で、第１描画オブジェクトＡ1が表示される。なお、第２描画画面の中心には第２描画オブジェクトｂが表示されている。
【０１２９】
（３ａ）および（３ｂ）の状態では、上側の第２描画画面がさらに入力兼表示部１の表示面から除去され、第２描画オブジェクトｃ１も表示されなくなる。また、第２描画オブジェクトａ2も描画範囲から外れて表示されなくなる。このとき、第２描画画面の中心にはｂが表示されている。
【０１３０】
このように、中心表示固定スライドは、スライド前後に亘って中心に表示する内容（第２描画オブジェクトｂ）を固定するので、元の表示領域の中心に表示している内容を固定したまま、表示領域を小さくしたい場合等に適したスライド方法である。
【０１３１】
＜具体例１＞
次に、第１、第２描画画面の一方に対するユーザの操作入力に連動して他方の描画画面の表示を変更する、地図表示動作の具体例１を図２０〜２２に沿って説明する。
【０１３２】
図２０は、自車位置周辺の国道と地方道を表示する下地図の上に、自車位置周辺の国道のみを表示する上地図を重ねた表示例を示している。すなわち、第１描画画面で国道と地方道の地図を表示し、第２描画画面で国道のみの地図を表示している。なお、これらの描画画面において、自車の経路は表示領域の横方向において中心に表示される。自車位置はそのうち表示領域の縦方向において中心より下側に表示されるので、通過した経路よりも進行方向の経路が長く表示される。
【０１３３】
図２０（１）、（２）、（３）は、上地図を中心表示固定スライドで順にスライドした状態を示している。上地図を右方向にスライドすることで下地図の表示面積が大きくなり、下地図では、自車位置と自車の経路が上地図のスライド後も表示領域の中心に表示されるよう、描画オブジェクトの位置が変化する。
【０１３４】
図２１は、具体例１を実現する合成描画画面の作成動作（図３のステップＳＴ１７）の詳細を示すフローチャートであり、図２２は、各描画画面の描画範囲を示す図である。
【０１３５】
第１情報描画部４０３は、図２２（１ａ）に示すように、現表示範囲を中心とする全表示面積分の第１描画画面を第１描画画面保持部４０４に描画している。そのうち、太線枠で示す描画範囲が合成描画画面に描画されている。
【０１３６】
第２情報描画部４０５も同様に、図２２（１ｂ）に示すように、現表示範囲を中心とする全表示面積分の第２描画画面を第２描画画面保持部４０６に描画している。そのうち、太線枠で示す描画範囲が合成描画画面に描画されている。
【０１３７】
ユーザがスライド操作を行うと、ステップＳＴ４６１において、合成描画部４０７はスライド距離に応じて第１描画画面の描画範囲を変更した上で、当該描画範囲を合成描画画面保存部４０８に描画する。例えばユーザが第２描画画面を右方向にＸ０だけ引きずる操作をしたとすると、図２２（２ａ）に示すように、第１描画画面の描画範囲を左方向にＸ０／２拡張する。
【０１３８】
次に、ステップＳＴ４６２において、第１描画画面に対する第２描画画面の重なり位置をスライド距離に応じて更新する。ここでは図２２（２ｃ）に示すように、スライド距離Ｘ０だけ重なり開始位置を右方向にずらす。
【０１３９】
次に、ステップＳＴ４６３において、スライド距離に応じて第２描画画面の描画範囲を変更した上で、第１描画画面に重ねて描画する。ここでは、第２描画画面の描画範囲の左端を図２２（２ｂ）に示すように右方向にＸ０／２ずらす。そして、第２描画画面の描画範囲の左端がステップＳＴ４６２で更新した重なり開始位置と一致するよう、第２描画画面の描画範囲を第１描画画面に重ねて描画する。
【０１４０】
よって、図２２（２ｃ）に示すように、第２描画画面が距離Ｘ０だけスライドされると共に、いずれの描画画面においても、スライドの前後で表示領域の中心には変わらず自車位置と経路が表示される。
【０１４１】
具体例１によれば、ユーザが第２描画画面に対してスライド操作を行うと、表示領域の面積が変化する第１描画画面では、表示領域の中心に表示される第１描画オブジェクトが固定されるように、合成描画画面上の第１描画オブジェクトの表示位置が変化する。言い換えれば、第２描画画面がＸ０だけ右にスライドすると、第１描画画面はＸ０／２だけ右にボードスライドする。図２０（１）に示すように、下地図に国道と地方道を表示させた状態で、より広域の地図表示をしたい場合には、図２０（２）、（３）に示すように上地図を右方向にスライドすることにより、下地図の表示面積を大きくすることが出来る。その上、下地図では常に表示範囲の中心に自車と経路が表示される他、自車周辺の地方道等が表示面積に応じて表示される。そのため、ユーザは、自車位置を把握しつつ自車周辺の表示領域の変更をスムーズに行うことが出来る。
【０１４２】
なお、上記では、第１描画画面の描画範囲を変更することによって、第１描画画面の中心表示内容が固定されるようにした。しかし、第１描画画面の描画範囲をそのままで描画オブジェクトを新たに作成し直すことによって、中心表示内容を固定することとしても良い。
【０１４３】
＜具体例２＞
次に、第１、第２描画画面の一方に対するユーザの操作入力に連動して他方の描画画面の表示を変更する、地図表示動作の具体例２を図２３〜２５に沿って説明する。
【０１４４】
図２３は、自車位置から目的地までの全体経路図を表示する下地図の上に、自車位置周辺図を表示する上地図を重ねた表示例を示している。すなわち、第１描画画面が全体経路図を表示し、第２描画画面が自車位置周辺図を表示している。なお、自車位置周辺図で自車の経路は表示領域の横方向において中心に表示される。自車位置はそのうち表示領域の縦方向において中心より下側に表示されるので、通過した経路よりも進行方向の経路が長く表示される。
【０１４５】
図２３（１）に示す状態で、上地図には表示領域の中心付近に自車位置と経路が表示されているが、その左右端に何も表示されていない領域が存在するので、表示領域を狭めても上地図の表示に不都合はない。そこで、図２３（２）、（３）に示すように、自車位置周辺図の視認が可能な範囲で上地図を右方向に中心表示固定スライドさせ、下地図の表示領域を拡張する。
【０１４６】
さらに、下地図では表示領域の拡張に合わせて縮尺を変更する。このように、重なり制御に応じて第１描画画面の第１描画オブジェクトの表示縮尺を変更し、表示領域一杯に全体経路図を表示すれば、限られた面積の表示画面を有効活用して複数の描画画面を表示することが可能になる。
【０１４７】
図２４は、具体例２を実現する合成描画画面の作成動作（図３のステップＳＴ１７）の詳細を示すフローチャートである。ユーザが第２描画画面を右方向にＸ０だけスライドさせる操作を行った場合を例にして、以下に図２４のフローチャートを説明する。
【０１４８】
ユーザがスライド操作を行うと、ステップＳＴ４７１において、スライド距離に応じて第１描画オブジェクトの縮尺を変更した新たな第１描画画面を作成し、当該第１描画画面を合成描画画面保持部に描画する。第２描画画面が右方向にＸ０だけスライドされると、第１描画画面の表示領域の幅はＸ０だけ大きくなるので、新たな表示面積に適合するように第１描画オブジェクトの縮尺を変更する。この動作は、第１情報描画部４０３が第１情報格納部２から新たな第１描画オブジェクトを取得し、これに基づき第１描画画面保持部４０４に新たな第１描画画面を描画することにより実現する。そして、合成描画部４０７が新たな第１描画画面を合成描画画面保持部４０８に描画する。
【０１４９】
以下、ステップＳＴ４７２，４７３は具体例１で説明した図２１のステップＳＴ４６２，４６３と同様であるので、説明を省略する。
【０１５０】
このような地図表示方法では、下地図の表示範囲を変更することと、下地図に表示している全体経路図を変更後の表示範囲に合わせた最適な縮尺に変更することとを、上地図をスライドさせるという１度の操作によって実現することができるので、ユーザの使い勝手が向上する。
【０１５１】
＜具体例３＞
次に、第１、第２描画画面の一方に対するユーザの操作入力に連動して、他方の描画画面の表示を変更する地図表示動作の具体例３を説明する。具体例３では、ユーザが一方の描画画面上の描画オブジェクトを変更する操作を行うと、これに連動して他方の描画画面上の描画オブジェクトが変更される。
【０１５２】
例えば、第２描画画面に現在の地図を表示し、当該地図と地理的範囲が同一の過去の地図を第１描画画面に表示すれば、第２描画画面をスライドさせることにより、ユーザは適宜、過去の地図を参照することが出来る。このように双方の描画画面に表示した地図を比較するような利用形態において、双方の描画画面における描画オブジェクトの変更を連動することにより、ユーザの使い勝手が向上する。
【０１５３】
描画オブジェクトの連動の一例として、地図の縮尺の連動がある。例えば、第２描画画面に現在の地図を、第１描画画面に過去の地図を、それぞれ縮尺２万５千分の１で表示しているとする。ユーザが現在の地図の縮尺を５万分の１に変更する操作を行うと、第２描画画面に縮尺５万分の１の現在の地図が表示されると共に、第１描画画面に表示される過去の地図の表示縮尺も、５万分の１に変更される。
【０１５４】
このように、第１描画画面と第２描画画面で縮尺を連動させることにより、現在の地図と過去の地図が見比べ易くなる。
【０１５５】
図２５は、具体例３を実現する地図表示装置の動作を示すフローチャートである。まず、入力兼表示部１にユーザから表示設定の変更入力があったか否かを全体制御部４０２が判断する（ステップＳＴ２３０）。ここでは、第２描画画面に表示している現在の地図の縮尺を２万５千分の１から５万分の１に変更する操作が入力されたものとする。
【０１５６】
次に、第１描画画面を作成する（ステップＳＴ２３１）。具体的には、第１情報描画部４０３が第１情報格納部２から第１描画オブジェクトを新たに取得し、第１描画画面保持部４０４に第１描画画面を描画する。ここでは、第２描画画面に対する変更操作に連動して、縮尺が５万分の１の地図を新たに第１描画画面として作成する。
【０１５７】
次に、第２描画画面を作成する（ステップＳＴ２３２）。具体的には、第２情報描画部４０５が第２情報格納部３から第２描画オブジェクトを新たに取得し、第２描画画面保持部４０６に第２描画画面を描画する。ここでは、ステップＳＴ２３０でユーザが入力した表示設定の変更操作を反映し、縮尺が５万分の１の地図を新たに第２描画画面として作成する。
【０１５８】
次に、合成描画部４０７が第１描画画面と第２描画画面から合成描画画面を作成する（ステップＳＴ２３３）。ここでは、第２描画画面の描画範囲や、第１描画画面に対する重なり位置は、表示設定の変更前と同様にする。まず、第１描画画面を合成描画画面保持部４０８に描画した後、第２描画画面の描画範囲端を重なり開始位置と一致するようにして、第１描画画面に重ねて合成描画画面保持部４０８に描画する。
【０１５９】
こうして、合成描画画面保持部４０８に保持された合成描画画面が入力兼表示部１に出力され、入力兼表示部１の表示面に表示される。
【０１６０】
＜変形例＞
上記の入力兼表示部１は、ユーザの入力情報を受け取る入力部と、受け取った入力情報や制御部４による動作制御に基づく地図描画画面を表示する表示部とが一体となった構成であるが、これらの機能を実現する構成が別々に備えられるものであってもよい。また、描画画面上に表示される描画オブジェクトは、地図表示に関するものに限らず、ユーザの要望に応じた様々な描画オブジェクトを表示することが可能である。
【０１６１】
なお、本実施の形態のように入力兼表示部１をタッチパネルで実現し、ジェスチャー操作によって描画画面の重なりを変動させれば、容易に操作が可能である。従来の地図表示装置では、タッチパネルに表示された操作アイコンをタッチすることや、機械的なスイッチやダイアル操作によって画面操作が行われており、必ずしも使い勝手の良いユーザインタフェースではなかった。しかし、本発明のように、スマートフォン等の、タッチパネルを有する携帯端末で用いられているジェスチャー操作を採用することによって、使い勝手の良いユーザインタフェースを実現できる。
【０１６２】
よって、例えば車両に搭載された地図表示装置のような、操作時間に限りがある環境下で使用される地図表示装置の画面操作に有効である。さらに、描画画面のスライド方向やスライド中の描画画面の表示効果に自由度を設けることによって、画面操作に娯楽的な要素を加えることが出来る。
【０１６３】
また、入力兼表示部１は、通常のタッチパネルに限らず、静電容量検出型のタッチパネルを用いて、指の近接および接触を検知可能な３次元タッチパネルであってもよい。
【０１６４】
上記の第１情報格納部２および第２情報格納部３は、図１に示すように別の記憶媒体であってもよいし、１つの記憶媒体に双方が含まれる場合であってもよい。また、外部に備えられた記憶媒体と通信することによって、地図情報等を取得する場合であってもよい。
【０１６５】
また、本実施の形態におけるスライド方法は例示であり、上記のスライド表示モードにおいて、スライド方法以外で地図描画画面の更新を行っても良い。
【０１６６】
また、上側の描画画面および下側の描画画面は、その大きさが一致しなくともよい。なお描画画面は、表示面全体にかかる大きさである必要はない。
【０１６７】
また、具体例２では、表示面積に応じて下地図の縮尺を変更する例について述べたが、上地図のスライドに対する下地図の縮尺変化は連続的であっても良いし、段階的であっても良い。また、上地図と下地図の表示面積が等しい時には、両地図の縮尺が同じになるようにしても良い。また、上地図のスライドに応じて上地図の縮尺を変更し、下地図の縮尺を固定しても良い。
【０１６８】
さらに、具体例２では第１、第２描画画面の両方で道路地図を表示したが、一方の描画画面は地図表示を行うものでなくても良い。例えば、第１描画画面を５０音検索アイコン画面や経路誘導画面とすれば、これらの画面の大きさをスライド面積に応じて自由に設定できるので、検索しやすく、あるいは見易い地図表示となり、使い勝手が向上する。
【０１６９】
具体例３では、描画画面間で連動する表示設定の一例として地図の縮尺を挙げたが、３次元地図の高さの縮尺や、バードビュー（登録商標）における視線角度、色調など、他の表示設定について描画画面間で連動するようにしても良い。
【０１７０】
さらに具体例３では、第２描画画面に対する表示設定の変更に連動して第１描画画面の表示が変更する例を説明したが、第１描画画面に対する表示設定の変更に連動して第２描画画面の表示が変更するようにしても良い。
【０１７１】
＜効果＞
本実施の形態の地図表示装置は、第１描画画面および第２描画画面を含む複数の描画画面を、少なくとも部分的に重ね表示可能な地図表示装置である。第１描画画面は少なくとも１つの第１描画オブジェクトを有し、第２描画画面は少なくとも１つの第２描画オブジェクトを有する。第１描画オブジェクトおよび第２描画オブジェクトの少なくとも一方は、地図情報に関する描画オブジェクトを含む。第１描画画面および第２描画画面は、同じまたは異なる大きさである。地図表示装置は、ユーザの描画画面表示に関する操作入力を受け付ける入力部と、入力部で受け付けたユーザの操作入力に応じて、第１、第２描画画面の重なり具合を制御し、第１、第２描画画面の重なり部分では、第１、第２描画オブジェクトの一方が他方をマスクして表示部に出力する制御部４とを備える。制御部４は、入力部で受け付けた第１、第２描画画面の一方に対するユーザの操作入力に連動して他方の描画画面表示を変更する。よって、ユーザにとって使い勝手の良い地図表示を行う事ができる。
【０１７２】
また、本実施の形態の地図表示装置において、制御部４は、第１、第２描画画面の一方に対し他方をスライドさせることによって、第１、第２描画画面の重なり具合を連続的に変化させるので、ユーザは両地図の関連性を把握し易い。
【０１７３】
また、表示領域の中心に表示する描画オブジェクトがスライドの前後で固定される中心表示固定スライドによって第１、第２描画画面の重なり具合を制御する。中心表示固定スライドによれば、スライドの前後で中心に表示する内容が変わらないので、表示しておきたい内容を残したまま、表示面積をスライドによって任意に調整することが可能である。
【０１７４】
また、入力部と表示部とが、タッチパネル付き表示装置の入力兼表示部１として一体に形成されることにより、ユーザの入力操作の利便性が向上する。
【０１７５】
また、第１、第２描画画面の重なり部分では、第２描画オブジェクトが第１描画オブジェクトをマスクし、制御部４は、入力部が受け付けた第２描画画面をスライドさせるユーザの操作入力に応じて第１描画オブジェクトを作成し、重なり制御の前後で第１描画画面の第２描画画面が重ならない領域の中心に表示される内容が変化しないよう、第１描画オブジェクトを変更する。あるいは、制御部４は、重なり制御の前後で第１描画画面の第２描画画面が重ならない領域の中心に表示される内容が変化しないよう、第１描画画面の表示領域を変更する。第１描画画面の中心にユーザの注目点がある場合、第２描画画面をスライドすることによって第１描画画面の表示面積が変化しても、なお中心にユーザの注目点が表示されるので、使い勝手の良い地図表示となる。
【０１７６】
また、制御部４は、入力部が受け付けた第２描画画面をスライドさせるユーザの操作入力に応じて、第１描画オブジェクトの表示縮尺を変更する。例えば第１描画画面上の第１描画オブジェクトを拡大して表示したい場合に、第２描画画面をスライドして第１描画画面の表示領域を大きくすることにより、表示領域の大きさに対応して第１描画オブジェクトが拡大されるため、ユーザの使い勝手が良い地図表示となる。
【０１７７】
また、第１、第２描画オブジェクトは共に地図情報に関する描画オブジェクトを含み、制御部４は、入力部が受け付けたユーザの操作入力に応じて、第１描画画面および第２描画画面における地図縮尺を連動して変更する。よって、ユーザは両描画画面の地図情報を比較し易い。
【０１７８】
あるいは、第１、第２描画オブジェクトは共に立体地図表示に関する描画オブジェクトであって、制御部４は、入力部が受け付けたユーザの操作入力に応じて第１，第２描画画面における高さ縮尺を連動して変更する。よって、ユーザは両描画画面の地図情報を比較し易い。
【０１７９】
あるいは、第１、第２描画オブジェクトは共に鳥瞰図情報に関する描画オブジェクトを含み、制御部４は、入力部が受け付けたユーザの操作入力に応じて第１，第２描画画面における視線角度を連動して変更する。よって、ユーザは両描画画面の地図情報を比較し易い。
【０１８０】
本実施の形態の地図表示装置方法は、第１描画画面および第２描画画面を含む複数の描画画面を、少なくとも部分的に重ねて表示する地図表示方法である。第１描画画面は少なくとも１つの第１描画オブジェクトを表示し、第２描画画面は少なくとも１つの第２描画オブジェクトを表示し、第１描画オブジェクトと第２描画オブジェクトの少なくとも一方は地図情報に関する描画オブジェクトを含み、第１描画画面および第２描画画面は、同じまたは異なる大きさである。地図表示装置方法は、（ａ）ユーザの描画画面表示に関する操作入力を受け付けるステップと、（ｂ）複数の描画画面を表示するステップと、（ｃ）ステップ（ｂ）に先立って、ステップ（ａ）において受け付けたユーザの操作入力に応じて、第１、第２描画画面の重なり具合を制御し、第１、第２描画画面の重なり部分では、第１、第２描画オブジェクトの一方が他方をマスクするステップと、（ｄ）ステップ（ｂ）に先立って、ステップ（ａ）において受け付けた第１、第２描画画面の一方に対するユーザの操作入力に連動して、他方の描画画面表示を変更するステップとを備える。よって、ユーザにとって使い勝手の良い地図表示を行う事ができる。
【０１８１】
この発明は詳細に説明されたが、上記した説明は、全ての局面において、例示であって、この発明がそれに限定されるものではない。例示されていない無数の変形例が、この発明の範囲から外れることなく想定され得るものと解される。
【符号の説明】
【０１８２】
１  入力兼表示部、２  第１情報格納部、３  第２情報格納部、４  制御部、４０１  入力解析部、４０２  全体制御部、４０３  第１情報描画部、４０４  第１描画画面保持部、４０５  第２情報描画部、４０６  第２描画画面保持部、４０７  合成描画部、４０８  合成描画画面保持部。
【図１】
2013105252.tif 000003
【図２】
2013105252.tif 000004
【図３】
2013105252.tif 000005
【図４】
2013105252.tif 000006
【図５】
2013105252.tif 000007
【図６】
2013105252.tif 000008
【図７】
2013105252.tif 000009
【図８】
2013105252.tif 000010
【図９】
2013105252.tif 000011
【図１０】
2013105252.tif 000012
【図１１】
2013105252.tif 000013
【図１２】
2013105252.tif 000014
【図１３】
2013105252.tif 000015
【図１４】
2013105252.tif 000016
【図１５】
2013105252.tif 000017
【図１６】
2013105252.tif 000018
【図１７】
2013105252.tif 000019
【図１８】
2013105252.tif 000020
【図１９】
2013105252.tif 000021
【図２０】
2013105252.tif 000022
【図２１】
2013105252.tif 000023
【図２２】
2013105252.tif 000024
【図２３】
2013105252.tif 000025
【図２４】
2013105252.tif 000026
【図２５】
2013105252.tif 000027
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
第１描画画面および第２描画画面を含む複数の描画画面を、少なくとも部分的に重ね表示可能な地図表示装置において、
前記第１描画画面は、少なくとも１つの第１描画オブジェクトを表示し、
前記第２描画画面は、少なくとも１つの第２描画オブジェクトを表示し、
前記第１描画オブジェクトおよび前記第２描画オブジェクトの少なくとも一方は、地図情報に関する描画オブジェクトを含み、
前記第１描画画面および前記第２描画画面は、同じまたは異なる大きさであって、
ユーザの描画画面表示に関する操作入力を受け付ける入力部（１）と、
前記第１描画画面および前記第２描画画面の重なり部分では、前記第２描画オブジェクトが前記第１描画オブジェクトをマスクして表示部（１）に出力する制御部（４）とを備え、
前記制御部（４）は、前記入力部（１）で受け付けた前記第２描画画面をスライドさせるユーザの操作入力に応じて、前記第１描画画面に対し前記第２描画画面をスライドさせることによって、前記第１描画画面および前記第２描画画面の重なり具合を連続的に変化させると共に、前記第１描画オブジェクトの表示縮尺を変更する、
地図表示装置。
【請求項２】
第１描画画面および第２描画画面を含む複数の描画画面を、少なくとも部分的に重ね表示可能な地図表示装置において、
前記第１描画画面は、少なくとも１つの第１描画オブジェクトを表示し、
前記第２描画画面は、少なくとも１つの第２描画オブジェクトを表示し、
前記第１描画オブジェクトおよび前記第２描画オブジェクトの少なくとも一方は、地図情報に関する描画オブジェクトを含み、
前記第１描画画面および前記第２描画画面は、同じまたは異なる大きさであって、
ユーザの描画画面表示に関する操作入力を受け付ける入力部（１）と、
前記第１描画画面および前記第２描画画面の重なり部分では、前記第１描画オブジェクトおよび前記第２描画オブジェクトの一方が他方をマスクして表示部（１）に出力する制御部（４）とを備え、
前記制御部（４）は、前記入力部（１）で受け付けた、前記第１描画画面および前記第２描画画面の一方のうち他方をマスクする描画画面の予め定められた場所に対するユーザの操作入力に応じて、前記第１描画画面および前記第２描画画面の一方に対し他方をスライドさせることによって、前記第１描画画面および前記第２描画画面の重なり具合を連続的に変化させると共に、他方の描画画面表示を変更する、
地図表示装置。
【請求項３】
第１描画画面および第２描画画面を含む複数の描画画面を、少なくとも部分的に重ね表示可能な地図表示装置において、
前記第１描画画面は、少なくとも１つの第１描画オブジェクトを表示し、
前記第２描画画面は、少なくとも１つの第２描画オブジェクトを表示し、
前記第１描画オブジェクトおよび前記第２描画オブジェクトの少なくとも一方は、地図情報に関する描画オブジェクトを含み、
前記第１描画画面および前記第２描画画面は、同じまたは異なる大きさであって、
ユーザの描画画面表示に関する操作入力を受け付ける入力部（１）と、
前記第１描画画面および前記第２描画画面の重なり部分では、前記第１描画オブジェクトおよび前記第２描画オブジェクトの一方が他方をマスクして表示部（１）に出力する制御部（４）とを備え、
通常表示モードとスライド表示モードの動作モードを含み、
前記制御部（４）は、前記スライド表示モードにおいて、前記入力部（１）で受け付けた前記第１描画画面および前記第２描画画面の一方に対するユーザの操作入力に応じて、前記第１描画画面および前記第２描画画面の一方に対し他方をスライドさせることによって、前記第１描画画面および前記第２描画画面の重なり具合を連続的に変化させると共に、他方の描画画面表示を変更する、
地図表示装置。
【請求項４】
前記スライド表示モードにおいて、前記第１描画画面又は前記第２描画画面は、前記スライド表示モードで動作中であることを示すアイコンを表示する、
請求項３に記載の地図表示装置。
【請求項５】
前記スライドは、前記描画画面上の前記描画オブジェクトが、前記描画画面のスライドに連動してスライドの方向に移動するボードスライドを含み、
前記第１描画画面と前記第２描画画面とが完全に重なった状態において、前記第１描画画面の注目点と前記第２描画画面の注目点とが重なった状態にある、
請求項２又は３に記載の地図表示装置。
【請求項６】
前記スライドの方向は任意である、
請求項２又は３に記載の地図表示装置。
【請求項７】
前記入力部（１）と前記表示部（１）とが、タッチパネル付き表示装置として一体に形成され、
前記制御部（４）は、前記第１描画画面および前記第２描画画面の重なり部分では、前記第２描画オブジェクトが前記第１描画オブジェクトをマスクして表示部（１）に出力し、前記入力部（１）で受け付けた、ユーザが前記第２描画画面にタッチした指をタッチしたまま予め定めた方向に移動させる引きずり操作に応じて、前記第２描画画面を前記第１描画画面に対してスライドさせ、その後ユーザが指を前記第２描画画面から離すと、引きずり操作前の重なり位置まで前記第２描画画面を戻す、
請求項２又は３に記載の地図表示装置。
【請求項８】
スライド進行時に、スライド中の前記描画画面を点滅させ、又はフェード表示する、
請求項２又は３に記載の地図表示装置。
【請求項９】
前記第１描画オブジェクト及び前記第２描画オブジェクトは、一方が現在の地図表示に関する描画オブジェクトを、他方が過去の地図表示に関する描画オブジェクトを含み、
前記制御部（４）は、前記入力部（１）が受け付けたユーザの操作入力に応じて、前記第１描画画面及び前記第２描画画面における地図縮尺を連動して変更する、
請求項２又は３に記載の地図表示装置。
【請求項１０】
前記第１描画画面および前記第２描画画面の重なり部分では、前記第２描画オブジェクトが前記第１描画オブジェクトをマスクし、
前記第１描画オブジェクトおよび前記第２描画オブジェクトは、鳥瞰図表示に関する描画オブジェクトを含み、
前記制御部（４）は、前記入力部（１）で受け付けた前記第２描画画面をスライドさせるユーザの操作入力に連動して、前記第１描画画面の視線角度を変更する、
請求項２又は３に記載の地図表示装置。
【請求項１１】
前記第１描画画面および前記第２描画画面の重なり部分では、前記第２描画オブジェクトが前記第１描画オブジェクトをマスクし、
前記第１描画オブジェクトおよび前記第２描画オブジェクトは、立体地図表示に関する描画オブジェクトを含み、
前記制御部（４）は、前記入力部（１）で受け付けた前記第２描画画面をスライドさせるユーザの操作入力に連動して、前記第１描画画面の高さ縮尺を変更する、
請求項２又は３に記載の地図表示装置。
【請求項１２】
第１描画画面および第２描画画面を含む複数の描画画面を、少なくとも部分的に重ね表示可能な地図表示装置において、
前記第１描画画面は、少なくとも１つの第１描画オブジェクトを表示し、
前記第２描画画面は、少なくとも１つの第２描画オブジェクトを表示し、
前記第１描画オブジェクトおよび前記第２描画オブジェクトは、立体地図表示に関する描画オブジェクトを含み、
前記第１描画画面および前記第２描画画面は、同じまたは異なる大きさであって、
ユーザの描画画面表示に関する操作入力を受け付ける入力部（１）と、
前記第１描画画面および前記第２描画画面の重なり部分では、前記第１描画オブジェクトおよび前記第２描画オブジェクトの一方が他方をマスクして表示部（１）に出力する制御部（４）とを備え、
前記制御部（４）は、前記入力部（１）で受け付けた前記第１描画画面および前記第２描画画面の一方に対するユーザの操作入力に応じて、前記第１描画画面および前記第２描画画面の一方に対し他方をスライドさせることによって、前記第１描画画面および前記第２描画画面の重なり具合を連続的に変化させると共に、前記第１描画画面および前記第２描画画面における高さ縮尺を連動して変更する、
地図表示装置。
【請求項１３】
第１描画画面および第２描画画面を含む複数の描画画面を、少なくとも部分的に重ね表示可能な地図表示方法であって、
前記第１描画画面は、少なくとも１つの第１描画オブジェクトを表示し、
前記第２描画画面は、少なくとも１つの第２描画オブジェクトを表示し、
前記第１描画オブジェクトおよび前記第２描画オブジェクトの少なくとも一方は、地図情報に関する描画オブジェクトを含み、
前記第１描画画面および前記第２描画画面は、同じまたは異なる大きさであって、
（ａ）ユーザの描画画面表示に関する操作入力を受け付けるステップと、
（ｂ）複数の前記描画画面の描画画面表示を行うステップと、
（ｃ）前記ステップ（ｂ）に先立って、前記ステップ（ａ）において受け付けた前記第２描画画面をスライドさせるユーザの操作入力に応じて、前記第１描画画面に対し前記第２描画画面をスライドさせることによって、前記第１描画画面および前記第２描画画面の重なり具合を連続的に変化させると共に、第１描画オブジェクトの表示縮尺を変更し、前記第１描画画面および前記第２描画画面の重なり部分では、前記第２描画オブジェクトが前記第１描画オブジェクトをマスクするステップと、
を備える地図表示方法。
【請求項１４】
第１描画画面および第２描画画面を含む複数の描画画面を、少なくとも部分的に重ね表示可能な地図表示方法であって、
前記第１描画画面は、少なくとも１つの第１描画オブジェクトを表示し、
前記第２描画画面は、少なくとも１つの第２描画オブジェクトを表示し、
前記第１描画オブジェクトおよび前記第２描画オブジェクトの少なくとも一方は、地図情報に関する描画オブジェクトを含み、
前記第１描画画面および前記第２描画画面は、同じまたは異なる大きさであって、
（ａ）ユーザの描画画面表示に関する操作入力を受け付けるステップと、
（ｂ）複数の前記描画画面の描画画面表示を行うステップと、
（ｃ）前記ステップ（ｂ）に先立って、前記ステップ（ａ）において受け付けた、前記第１描画画面および前記第２描画画面の一方のうち他方をマスクする画面の予め定められた場所に対するユーザの操作入力に応じて、前記第１描画画面および前記第２描画画面の一方に対し他方をスライドさせることによって、前記第１描画画面および前記第２描画画面の重なり具合を連続的に変化させると共に、他方の描画画面表示を変更し、前記第１描画画面および前記第２描画画面の重なり部分では、前記第１描画オブジェクトおよび前記第２描画オブジェクトの一方が他方をマスクするステップと、
を備える、地図表示方法。
【請求項１５】
第１描画画面および第２描画画面を含む複数の描画画面を、少なくとも部分的に重ね表示可能な地図表示方法であって、
前記第１描画画面は、少なくとも１つの第１描画オブジェクトを表示し、
前記第２描画画面は、少なくとも１つの第２描画オブジェクトを表示し、
前記第１描画オブジェクトおよび前記第２描画オブジェクトの少なくとも一方は、地図情報に関する描画オブジェクトを含み、
前記第１描画画面および前記第２描画画面は、同じまたは異なる大きさであって、
（ａ）ユーザの描画画面表示に関する操作入力を受け付けるステップと、
（ｂ）複数の前記描画画面の描画画面表示を行うステップと、
（ｃ）通常表示モードとスライド表示モードを含む動作モードのうちスライド表示モードにおいて、前記ステップ（ｂ）に先立ち、前記ステップ（ａ）において受け付けた、前記第１描画画面および前記第２描画画面の一方に対するユーザの操作入力に応じて、前記第１描画画面および前記第２描画画面の一方に対し他方をスライドさせることによって、前記第１描画画面および前記第２描画画面の重なり具合を連続的に変化させると共に、他方の描画画面表示を変更し、前記第１描画画面および前記第２描画画面の重なり部分では、前記第１描画オブジェクトおよび前記第２描画オブジェクトの一方が他方をマスクするステップと、備える、
地図表示方法。
【手続補正２】
【補正対象書類名】明細書
【補正対象項目名】０００９
【補正方法】変更
【補正の内容】
【０００９】
本発明の第１の地図表示装置は、第１描画画面および第２描画画面を含む複数の描画画面を、少なくとも部分的に重ね表示可能な地図表示装置であって、第１描画画面は、少なくとも１つの第１描画オブジェクトを表示し、第２描画画面は、少なくとも１つの第２描画オブジェクトを表示し、第１描画オブジェクトおよび第２描画オブジェクトの少なくとも一方は、地図情報に関する描画オブジェクトを含み、第１描画画面および第２描画画面は、同じまたは異なる大きさである。また、本発明の第１の地図表示装置は、ユーザの描画画面表示に関する操作入力を受け付ける入力部と、第１描画画面および第２描画画面の重なり部分では、第２描画オブジェクトが第１描画オブジェクトをマスクして表示部に出力する制御部とを備え、制御部は、入力部で受け付けた第２描画画面をスライドさせるユーザの操作入力に応じて、前記第１描画画面に対し前記第２描画画面をスライドさせることによって、前記第１描画画面および前記第２描画画面の重なり具合を連続的に変化させると共に、前記第１描画オブジェクトの表示縮尺を変更する。
本発明の第２の地図表示装置は、第１描画画面および第２描画画面を含む複数の描画画面を、少なくとも部分的に重ね表示可能な地図表示装置であって、第１描画画面は、少なくとも１つの第１描画オブジェクトを表示し、第２描画画面は、少なくとも１つの第２描画オブジェクトを表示し、第１描画オブジェクトおよび第２描画オブジェクトの少なくとも一方は、地図情報に関する描画オブジェクトを含み、第１描画画面および第２描画画面は、同じまたは異なる大きさである。また、本発明の第２の地図表示装置は、ユーザの描画画面表示に関する操作入力を受け付ける入力部と、第１描画画面および第２描画画面の重なり部分では、第１描画オブジェクトおよび第２描画オブジェクトの一方が他方をマスクして表示部に出力する制御部とを備え、制御部は、入力部で受け付けた、第１描画画面および第２描画画面の一方のうち他方をマスクする描画画面の予め定められた場所に対するユーザの操作入力に応じて、第１描画画面および第２描画画面の一方に対し他方をスライドさせることによって、第１描画画面および第２描画画面の重なり具合を連続的に変化させると共に、他方の描画画面表示を変更する。
本発明の第３の地図表示装置は、第１描画画面および第２描画画面を含む複数の描画画面を、少なくとも部分的に重ね表示可能な地図表示装置であって、第１描画画面は、少なくとも１つの第１描画オブジェクトを表示し、第２描画画面は、少なくとも１つの第２描画オブジェクトを表示し、第１描画オブジェクトおよび第２描画オブジェクトの少なくとも一方は、地図情報に関する描画オブジェクトを含み、第１描画画面および第２描画画面は、同じまたは異なる大きさである。また、本発明の第３の地図表示装置は、ユーザの描画画面表示に関する操作入力を受け付ける入力部と、第１描画画面および第２描画画面の重なり部分では、第１描画オブジェクトおよび第２描画オブジェクトの一方が他方をマスクして表示部に出力する制御部とを備え、通常表示モードとスライド表示モードの動作モードを含み、制御部は、スライド表示モードにおいて、入力部で受け付けた第１描画画面および第２描画画面の一方に対するユーザの操作入力に応じて、第１描画画面および第２描画画面の一方に対し他方をスライドさせることによって、第１描画画面および第２描画画面の重なり具合を連続的に変化させると共に、他方の描画画面表示を変更する。
本発明の第４の地図表示装置は、第１描画画面および第２描画画面を含む複数の描画画面を、少なくとも部分的に重ね表示可能な地図表示装置であって、第１描画画面は、少なくとも１つの第１描画オブジェクトを表示し、第２描画画面は、少なくとも１つの第２描画オブジェクトを表示し、第１描画オブジェクトおよび第２描画オブジェクトは、立体地図表示に関する描画オブジェクトを含み、第１描画画面および第２描画画面は、同じまたは異なる大きさである。また本発明の第４の地図表示装置は、ユーザの描画画面表示に関する操作入力を受け付ける入力部と、第１描画画面および第２描画画面の重なり部分では、第１描画オブジェクトおよび第２描画オブジェクトの一方が他方をマスクして表示部に出力する制御部とを備え、制御部は、入力部で受け付けた第１描画画面および第２描画画面の一方に対するユーザの操作入力に応じて、第１描画画面および第２描画画面の一方に対し他方をスライドさせることによって、第１描画画面および第２描画画面の重なり具合を連続的に変化させると共に、第１描画画面および第２描画画面における高さ縮尺を連動して変更する。
【手続補正３】
【補正対象書類名】明細書
【補正対象項目名】００１０
【補正方法】変更
【補正の内容】
【００１０】
また、本発明の第１の地図表示方法は、第１描画画面および第２描画画面を含む複数の描画画面を、少なくとも部分的に重ねて表示する地図表示方法である。第１描画画面は、少なくとも１つの第１描画オブジェクトを表示し、第２描画画面は、少なくとも１つの第２描画オブジェクトを表示し、第１描画オブジェクトと第２描画オブジェクトの少なくとも一方は地図情報に関する描画オブジェクトを含み、第１描画画面および第２描画画面は、同じまたは異なる大きさである。また、本発明の第１の地図表示方法は、（ａ）ユーザの描画画面表示に関する操作入力を受け付けるステップと、（ｂ）複数の描画画面の描画画面表示を行うステップと、（ｃ）ステップ（ｂ）に先立って、ステップ（ａ）において受け付けた第２描画画面をスライドさせるユーザの操作入力に応じて、第１描画画面に対し前記第２描画画面をスライドさせることによって、前記第１描画画面および前記第２描画画面の重なり具合を連続的に変化させると共に、第１描画オブジェクトの表示縮尺を変更し、第１描画画面および第２描画画面の重なり部分では、第２描画オブジェクトが第１描画オブジェクトをマスクするステップとを備える。
また、本発明の第２の地図表示方法は、第１描画画面および第２描画画面を含む複数の描画画面を、少なくとも部分的に重ね表示可能な地図表示方法である。第１描画画面は、少なくとも１つの第１描画オブジェクトを表示し、第２描画画面は、少なくとも１つの第２描画オブジェクトを表示し、第１描画オブジェクトおよび第２描画オブジェクトの少なくとも一方は、地図情報に関する描画オブジェクトを含み、第１描画画面および第２描画画面は、同じまたは異なる大きさである。また、本発明の第２の地図表示方法は、（ａ）ユーザの描画画面表示に関する操作入力を受け付けるステップと、（ｂ）複数の描画画面の描画画面表示を行うステップと、（ｃ）ステップ（ｂ）に先立って、ステップ（ａ）において受け付けた、第１描画画面および第２描画画面の一方のうち他方をマスクする画面の予め定められた場所に対するユーザの操作入力に応じて、第１描画画面および第２描画画面の一方に対し他方をスライドさせることによって、第１描画画面および第２描画画面の重なり具合を連続的に変化させると共に、他方の描画画面表示を変更し、第１描画画面および第２描画画面の重なり部分では、第１描画オブジェクトおよび第２描画オブジェクトの一方が他方をマスクするステップと、を備える。
また、本発明の第３の地図表示方法は、第１描画画面および第２描画画面を含む複数の描画画面を、少なくとも部分的に重ね表示可能な地図表示方法である。第１描画画面は、少なくとも１つの第１描画オブジェクトを表示し、第２描画画面は、少なくとも１つの第２描画オブジェクトを表示し、第１描画オブジェクトおよび第２描画オブジェクトの少なくとも一方は、地図情報に関する描画オブジェクトを含み、第１描画画面および第２描画画面は、同じまたは異なる大きさであって、（ａ）ユーザの描画画面表示に関する操作入力を受け付けるステップと、（ｂ）複数の描画画面の描画画面表示を行うステップと、（ｃ）通常表示モードとスライド表示モードを含む動作モードのうちスライド表示モードにおいて、ステップ（ｂ）に先立ち、ステップ（ａ）において受け付けた、第１描画画面および第２描画画面の一方に対するユーザの操作入力に応じて、第１描画画面および第２描画画面の一方に対し他方をスライドさせることによって、第１描画画面および第２描画画面の重なり具合を連続的に変化させると共に、他方の描画画面表示を変更し、第１描画画面および第２描画画面の重なり部分では、第１描画オブジェクトおよび第２描画オブジェクトの一方が他方をマスクするステップと、を備える。
【手続補正４】
【補正対象書類名】明細書
【補正対象項目名】００１１
【補正方法】変更
【補正の内容】
【００１１】
本発明の第１の地図表示装置は、ユーザの描画画面表示に関する操作入力を受け付ける入力部と、第１、第２描画画面の重なり部分では、第２描画オブジェクトが第１描画オブジェクトをマスクして表示部に出力する制御部とを備え、制御部は、入力部で受け付けた第２描画画面をスライドさせるユーザの操作入力に応じて、前記第１描画画面に対し前記第２描画画面をスライドさせることによって、前記第１描画画面および前記第２描画画面の重なり具合を連続的に変化させると共に、前記第１描画オブジェクトの表示縮尺を変更するので、ユーザにとって使い勝手の良い地図表示を行う事ができる。
また、本発明の第２の地図表示装置は、ユーザの描画画面表示に関する操作入力を受け付ける入力部と、第１描画画面および第２描画画面の重なり部分では、第１描画オブジェクトおよび第２描画オブジェクトの一方が他方をマスクして表示部に出力する制御部とを備え、制御部は、入力部で受け付けた、第１描画画面および第２描画画面の一方のうち他方をマスクする描画画面の予め定められた場所に対するユーザの操作入力に応じて、第１描画画面および第２描画画面の一方に対し他方をスライドさせることによって、第１描画画面および第２描画画面の重なり具合を連続的に変化させると共に、他方の描画画面表示を変更するので、ユーザにとって使い勝手の良い地図表示を行う事ができる。
また、本発明の第３の地図表示装置は、ユーザの描画画面表示に関する操作入力を受け付ける入力部と、第１描画画面および第２描画画面の重なり部分では、第１描画オブジェクトおよび第２描画オブジェクトの一方が他方をマスクして表示部に出力する制御部とを備え、通常表示モードとスライド表示モードの動作モードを含み、制御部は、スライド表示モードにおいて、入力部で受け付けた第１描画画面および第２描画画面の一方に対するユーザの操作入力に応じて、第１描画画面および第２描画画面の一方に対し他方をスライドさせることによって、第１描画画面および第２描画画面の重なり具合を連続的に変化させると共に、他方の描画画面表示を変更するので、ユーザにとって使い勝手の良い地図表示を行う事ができる。
また、本発明の第４の地図表示装置は、ユーザの描画画面表示に関する操作入力を受け付ける入力部と、第１描画画面および第２描画画面の重なり部分では、第１描画オブジェクトおよび第２描画オブジェクトの一方が他方をマスクして表示部に出力する制御部とを備え、制御部は、入力部で受け付けた第１描画画面および第２描画画面の一方に対するユーザの操作入力に応じて、第１描画画面および第２描画画面の一方に対し他方をスライドさせることによって、第１描画画面および第２描画画面の重なり具合を連続的に変化させると共に、第１描画画面および第２描画画面における高さ縮尺を連動して変更するので、ユーザにとって使い勝手の良い地図表示を行う事ができるので、ユーザにとって使い勝手の良い地図表示を行う事ができる。
【手続補正５】
【補正対象書類名】明細書
【補正対象項目名】００１２
【補正方法】変更
【補正の内容】
【００１２】
また、本発明の第１の地図表示方法は、（ａ）ユーザの描画画面表示に関する操作入力を受け付けるステップと、（ｂ）複数の描画画面の描画画面表示を行うステップと、（ｃ）ステップ（ｂ）に先立って、ステップ（ａ）において受け付けた第２描画画面をスライドさせるユーザの操作入力に応じて、第１描画画面に対し前記第２描画画面をスライドさせることによって、前記第１描画画面および前記第２描画画面の重なり具合を連続的に変化させると共に、第１描画オブジェクトの表示縮尺を変更し、第１描画画面および第２描画画面の重なり部分では、第２描画オブジェクトが第１描画オブジェクトをマスクするステップとを備えるので、ユーザにとって使い勝手の良い地図表示を行う事ができる。
また、本発明の第２の地図表示方法は、（ａ）ユーザの描画画面表示に関する操作入力を受け付けるステップと、（ｂ）複数の描画画面の描画画面表示を行うステップと、（ｃ）ステップ（ｂ）に先立って、ステップ（ａ）において受け付けた、第１描画画面および第２描画画面の一方のうち他方をマスクする画面の予め定められた場所に対するユーザの操作入力に応じて、第１描画画面および第２描画画面の一方に対し他方をスライドさせることによって、第１描画画面および第２描画画面の重なり具合を連続的に変化させると共に、他方の描画画面表示を変更し、第１描画画面および第２描画画面の重なり部分では、第１描画オブジェクトおよび第２描画オブジェクトの一方が他方をマスクするステップと、を備えるので、ユーザにとって使い勝手の良い地図表示を行う事ができる。
また、本発明の第３の地図表示方法は、（ａ）ユーザの描画画面表示に関する操作入力を受け付けるステップと、（ｂ）複数の描画画面の描画画面表示を行うステップと、（ｃ）通常表示モードとスライド表示モードを含む動作モードのうちスライド表示モードにおいて、ステップ（ｂ）に先立ち、ステップ（ａ）において受け付けた、第１描画画面および第２描画画面の一方に対するユーザの操作入力に応じて、第１描画画面および第２描画画面の一方に対し他方をスライドさせることによって、第１描画画面および第２描画画面の重なり具合を連続的に変化させると共に、他方の描画画面表示を変更し、第１描画画面および第２描画画面の重なり部分では、第１描画オブジェクトおよび第２描画オブジェクトの一方が他方をマスクするステップと、を備えるので、ユーザにとって使い勝手の良い地図表示を行う事ができる。
【国際調査報告】
2013105252.tif 000028
2013105252.tif 000029
2013105252.tif 000030
2013105252.tif 000031